(57)【要約】【課題】  施工性の低下や構造の大型化を回避しつつ、制御回路やセンサの電力を確保できる電力供給スイッチを提供する。【解決手段】  負荷３をオンする期間、ドレイン−ソース間電圧Ｖｄｓを略０に設定すべくゲート端子電圧を所定値Ｖｇ１に設定する。また、制御回路６に電力が供給されるように、任意のタイミングでゲート端子電圧Ｖｇを電圧Ｖｇ１からＶｇ２に瞬間的に低下させる。これにより、ゲート端子電圧Ｖｇが電圧Ｖｇ１より小さい期間、ドレイン−ソース間電圧Ｖｄｓが電圧Ｖｄｓ１（＞０）に上昇し、その電圧によりコンデンサＣに電流が流れ、該コンデンサＣの両極間の電圧Ｖｃが電圧Ｖｃ２からＶｃ１に上昇する。【選択図】      図２
2005244318.tif 000002
【特許請求の範囲】
【請求項１】
電源の電力を負荷に供給及び遮断することにより前記負荷をオン・オフする２個のスイッチ端子を有する２線式の電力供給スイッチであって、
前記２個のスイッチ端子に２個の交流入力端子がそれぞれ接続され、交流を直流に変換する整流部と、
前記整流部の正極側直流出力端子及び負極側直流出力端子にそれぞれ接続される入力端子及び出力端子を有し、前記入力端子と出力端子との間を実質的に短絡する短絡状態、前記入力端子と出力端子との間を実質的に開放する開放状態、及び前記入力端子と出力端子との間を短絡状態と開放状態との間の状態である有電位差状態の３状態を取り得る第１のスイッチ部と、
前記第１のスイッチ部の前記３状態を制御する制御部と、
前記第１のスイッチ部の入力端子と出力端子との間に接続された電荷蓄積部とを備え、
前記制御部は、前記第１のスイッチ部を短絡状態にすることにより前記電源から前記負荷に電力を供給して前記負荷をオンにしている間に、前記電荷蓄積部に電荷を蓄積すべく前記第１のスイッチ部を有電位差状態にする第１の期間を有することを特徴とする電力供給スイッチ。
【請求項２】
前記２個のスイッチ端子間に前記整流部と並列に接続されるとともに、前記スイッチ端子間を実質的に短絡する短絡状態と前記スイッチ端子間を実質的に開放する開放状態との２状態を取り得る第２のスイッチ部を備え、
前記制御部は、前記第２のスイッチ部の前記２状態を制御するとともに、前記電源から前記負荷に電力を供給して前記負荷をオンにしている間のうち前記第１の期間以外の第２の期間は、前記第２のスイッチ部を短絡状態に設定することを特徴とする請求項１に記載の電力供給スイッチ。
【請求項３】
前記制御部は、前記第１の期間において、前記有電位差状態にある前記第１のスイッチ部を短絡状態側に漸次変化させるとともに、前記第１のスイッチ部の入力端子と出力端子との間の電位差が所定値まで低下したタイミングで、前記第２のスイッチ部を開放状態から短絡状態に切換えることを特徴とする請求項２に記載の電力供給スイッチ。
【請求項４】
前記第１のスイッチ部に流れる電流を検出する電流検出部を備え、前記制御部は、前記電荷蓄積部に電荷を蓄積するべく、前記第１のスイッチ部に流れる電流が略零になるタイミングから前記電荷蓄積部に所定量の電荷が蓄積されるタイミングまで、前記第１のスイッチ部を有電位差状態に設定することを特徴とする請求項１ないし３のいずれかに記載の電力供給スイッチ。
【請求項５】
前記制御部は、前記第１の期間から第２の期間に切換える直前の前記第１のスイッチ部の状態が所定の有電位差状態より短絡状態側になるのを制限する制限部を備えることを特徴とする請求項２ないし４のいずれかに記載の電力供給スイッチ。
【請求項６】
互いに抵抗値の異なる複数の電流路が選択可能に構成されており、前記制御部は、１又は複数の電流路を通電させる電流路として選択することにより、有電位差状態にある前記第１のスイッチ部の状態を短絡状態側又は開放状態側に調整する調整部を備えることを特徴とする請求項１ないし５のいずれかに記載の電力供給スイッチ。
【請求項７】
前記電荷蓄積部の電圧を昇圧して得られる電力を前記制御部に供給する昇圧部を備えることを特徴とする請求項１ないし６のいずれかに記載の電力供給スイッチ。
【請求項８】
電源の電力を負荷に供給及び遮断することにより前記負荷をオン・オフする２個のスイッチ端子を有する２線式の電力供給スイッチであって、
入力端子及び出力端子を有し、前記入力端子と出力端子との間を実質的に短絡する短絡状態、前記入力端子と出力端子との間を実質的に開放する開放状態、及び前記入力端子と出力端子との間を短絡状態と開放状態との間の状態である有電位差状態の３状態を取り得る第３，第４のスイッチ部を備えて構成され、前記第３，第４のスイッチ部の各入力端子が前記各スイッチ端子として２個の交流入力端子にそれぞれ接続されてなるスイッチング回路と、
前記第３，第４のスイッチ部の入力端子と出力端子との間に接続された電荷蓄積部と、
前記第３，第４のスイッチ部の前記３状態を制御する制御部とを備え、
前記制御部は、前記交流入力端子に入力される電力の位相に応じて前記第３，第４のスイッチ部を交互に短絡状態にすることにより前記電源から前記負荷に電力を供給して前記負荷をオンにしている間に、前記電荷蓄積部に電荷を蓄積すべく短絡状態のスイッチ部を有電位差状態にする期間を有することを特徴とする電力供給スイッチ。
【発明の詳細な説明】
【技術分野】
【０００１】
本発明は、負荷へ電力供給のオン・オフを行う電力供給スイッチに関する。
【背景技術】
【０００２】
従来、例えば照明機器や換気扇等のスイッチとして壁面に設置されている従来の機械式スイッチに代わって、例えば人間の存在を遠隔的に検知するセンサからの検出信号に基づき、照明機器や換気扇等の負荷へ電力の供給及び遮断を自動的に行うスイッチがある（例えば、下記特許文献１参照）。
【０００３】
この種のスイッチとして、例えば図１３に示すように、３つのスイッチ端子ｔ１〜ｔ３を備えた３線式タイプのスイッチ１００がある。このスイッチ１００においては、スイッチ端子ｔ１，ｔ２間に、交流電源Ｗと負荷Ｚとを直列に接続するためのスイッチ素子１０１が配設されているとともに、スイッチ端子ｔ３は、前記スイッチ素子１０１のオン・オフ動作を制御する制御部１０２に備えられている。制御部１０２は、前述のセンサ１０３と接続されているとともに、電源Ｗにスイッチ端子ｔ１，ｔ３で直列に接続されており、常時、当該制御部１０２の駆動に要する電力及びセンサ１０３に供給する電力の供給を電源Ｗから受ける。
【０００４】
前記センサ１０３により人間の存在が検知されていないとき、制御部１０２によりスイッチ素子１０１はオフされることにより負荷Ｚがオフとなる。一方、前記センサ１０３により人間の存在が検知されると、制御部１０２によりスイッチ素子１０１がオンされることにより負荷Ｚがオンとなる。
【０００５】
また、この３線式タイプのスイッチとは別に、電源と負荷との直列回路に直列接続される所謂２線式タイプのものもある。また、この２線式スイッチにおいて、スイッチの電力ロスを低減しながら前記人間の検出動作を行うために必要な該スイッチの電力を確保することを目的として、図１４に示すような構成を備えたものが知られている。
【０００６】
図１４に示すスイッチ１１０は、ダイオードブリッジ回路１１１と、電源Ｗ及び負荷Ｚに直列接続される一次側コイル１１２及びダイオードブリッジ回路１１１の入力端子間に接続される二次側コイル１１３を備えるカレントトランス１１４と、一次側コイル１１２とともに電源Ｗ及び負荷Ｚに直列接続される双方向性３端子サイリスタ１１５と、該サイリスタ１１５のオンオフ動作を制御するゲート駆動回路１１６と、該ゲート駆動回路１１６の動作を制御し、且つダイオードブリッジ回路１１１の出力端子に接続された制御回路１１７と、負荷がオフされる期間に制御回路１１７へ電力を供給するオフ時電源回路１１８とを備えて構成されている。
【０００７】
このスイッチ１１０においては、負荷Ｚをオンする期間とオフする期間とで、制御回路１１７に電力を供給する供給元が異なる。すなわち、負荷Ｚへ電力供給が行われる期間は、双方向性３端子サイリスタ１１５がオンすることにより、一次側コイル１１２に電流が流れるとともに、電磁誘導作用により二次側コイル１１３にも電流（二次電流）が流れ、この二次電流により制御回路１１７への供給電力が確保される。また、負荷Ｚをオフする期間、オフ時電源回路１１８は、電源Ｗから電力供給を受け、制御回路１１７は、このオフ時電源回路１１８から電力供給を受ける。
【特許文献１】特開２０００−３５７４４３号公報
【発明の開示】
【発明が解決しようとする課題】
【０００８】
ところで、前述の３線式のスイッチにおいては、その施工性に問題がある。すなわち、機械式スイッチと交換する場合、機械式スイッチと３線式スイッチとで端子数が異なるため、スイッチのみの交換だけでなく、電源側の電線を追加するなどの配線作業等が別途必要となり多大な手間や時間を要することとなる。
【０００９】
その点、２線式のスイッチは、機械式スイッチと端子数が同一であるため、機械式スイッチを２線式スイッチに交換する際には、電源側の電線とスイッチ端子との接続関係のみを変更するだけで済むため、３線式のスイッチに比して施工性はよい。
【００１０】
しかしながら、図１４に示すスイッチにおいては、負荷Ｚをオン・オフさせる電源として商用電源（周波数が小さい電力）を利用するため、カレントトランス１１４から大きな出力が得られない。また、オン・オフさせる対象の負荷Ｚが消費電力の小さいものである場合にも、カレントトランス１１４を流れる電流が小さくなるため、前記出力が小さくなる。そのため、消費電力が比較的大きな制御回路１１７を当該スイッチ１１０に搭載し、該制御回路１１７で複雑な制御を行うことが困難である。
【００１１】
一方、制御回路１１７で複雑な制御を行うべくカレントトランス１１４で制御回路１１７の動作に必要な電力を確保するためには、比較的大型なカレントトランス１１４（インダクタンスが大きなもの）を用いる必要がある。この場合、スイッチ１１０が大型化し、該スイッチ１１０の設置場所が限定されるという問題もある。
【００１２】
さらには、負荷Ｚがオフされているときにも、オフ時電源回路１１８が電源Ｗから電力供給を受けるために一次側コイル１１２に電流が流れるため、その一次側コイル１１２での発熱によりスイッチの異常（故障）と誤認識される虞もある。
【００１３】
本発明は、このような事情に鑑みてなされたものであり、施工性の低下や構造の大型化を回避しつつ、制御回路やセンサの電力を確保することのできる電力供給スイッチを提供することを目的とする。
【課題を解決するための手段】
【００１４】
上述の目的を達成するために、本発明の第１の手段に係る電力供給スイッチは、電源の電力を負荷に供給及び遮断することにより前記負荷をオン・オフする２個のスイッチ端子を有する２線式の電力供給スイッチであって、前記２個のスイッチ端子に２個の交流入力端子がそれぞれ接続され、交流を直流に変換する整流部と、前記整流部の正極側直流出力端子及び負極側直流出力端子にそれぞれ接続される入力端子及び出力端子を有し、前記入力端子と出力端子との間を実質的に短絡する短絡状態、前記入力端子と出力端子との間を実質的に開放する開放状態、及び前記入力端子と出力端子との間を短絡状態と開放状態との間の状態である有電位差状態の３状態を取り得る第１のスイッチ部と、前記第１のスイッチ部の前記３状態を制御する制御部と、前記第１のスイッチ部の入力端子と出力端子との間に接続された電荷蓄積部とを備え、前記制御部は、前記第１のスイッチ部を短絡状態にすることにより前記電源から前記負荷に電力を供給して前記負荷をオンにしている間に、前記電荷蓄積部に電荷を蓄積すべく前記第１のスイッチ部を有電位差状態にする第１の期間を有する。
【００１５】
また、上述の電力供給スイッチにおいて、前記２個のスイッチ端子間に前記整流部と並列に接続されるとともに、前記スイッチ端子間を実質的に短絡する短絡状態と前記スイッチ端子間を実質的に開放する開放状態との２状態を取り得る第２のスイッチ部を備え、前記制御部は、前記第２のスイッチ部の前記２状態を制御するとともに、前記電源から前記負荷に電力を供給して前記負荷をオンにしている間のうち前記第１の期間以外の第２の期間は、前記第２のスイッチ部を短絡状態に設定する。
【００１６】
上述の電力供給スイッチにおいて、前記制御部は、前記第１の期間において、前記有電位差状態にある前記第１のスイッチ部を短絡状態側に漸次変化させるとともに、前記第１のスイッチ部の入力端子と出力端子との間の電位差が所定値まで低下したタイミングで、前記第２のスイッチ部を開放状態から短絡状態に切換える。
【００１７】
上述の電力供給スイッチにおいて、前記第１のスイッチ部に流れる電流を検出する電流検出部を備え、前記制御部は、前記電荷蓄積部に電荷を蓄積するべく、前記第１のスイッチ部に流れる電流が略零になるタイミングから前記電荷蓄積部に所定量の電荷が蓄積されるタイミングまで、前記第１のスイッチ部を有電位差状態に設定する。
【００１８】
上述の電力供給スイッチにおいて、前記制御部は、前記第１の期間から第２の期間に切換える直前の前記第１のスイッチ部の状態が所定の有電位差状態より短絡状態側になるのを制限する制限部を備える。
【００１９】
上述の電力供給スイッチにおいて、互いに抵抗値の異なる複数の電流路が選択可能に構成されており、前記制御部は、１又は複数の電流路を通電させる電流路として選択することにより、有電位差状態にある前記第１のスイッチ部の状態を短絡状態側又は開放状態側に調整する調整部を備える。
【００２０】
上述の電力供給スイッチにおいて、前記電荷蓄積部の電圧を昇圧して得られる電力を前記制御部に供給する昇圧部を備える。
【００２１】
本発明の第２の手段に係る電力供給スイッチは、電源の電力を負荷に供給及び遮断することにより前記負荷をオン・オフする２個のスイッチ端子を有する２線式の電力供給スイッチであって、入力端子及び出力端子を有し、前記入力端子と出力端子との間を実質的に短絡する短絡状態、前記入力端子と出力端子との間を実質的に開放する開放状態、及び前記入力端子と出力端子との間を短絡状態と開放状態との間の状態である有電位差状態の３状態を取り得る第３，第４のスイッチ部を備えて構成され、前記第３，第４のスイッチ部の各入力端子が前記各スイッチ端子として２個の交流入力端子にそれぞれ接続されてなるスイッチング回路と、前記第３，第４のスイッチ部の入力端子と出力端子との間に接続された電荷蓄積部と、前記第３，第４のスイッチ部の前記３状態を制御する制御部とを備え、前記制御部は、前記交流入力端子に入力される電力の位相に応じて前記第３，第４のスイッチ部を交互に短絡状態にすることにより前記電源から前記負荷に電力を供給して前記負荷をオンにしている間に、前記電荷蓄積部に電荷を蓄積すべく短絡状態のスイッチ部を有電位差状態にする期間を有する。
【発明の効果】
【００２２】
本発明によれば、従来のようにカレントトランスを用いずに電力供給スイッチを構成したので、施工性の低下や構造の大型化等を回避しつつ、制御部やセンサの電力を確保することのできる電力供給スイッチを実現することができる。
【発明を実施するための最良の形態】
【００２３】
以下、本発明に係る電力供給スイッチの第実施形態を図面に基づいて説明する。
【００２４】
（第１の実施形態）
図１は、電力供給スイッチ１の第１の実施形態の構成を示す図である。
【００２５】
図１に示すように、電力供給スイッチ１は、電源２及び負荷３の直列回路と２個の端子Ｓ，Ｔで接続される２線式のスイッチであり、電源２から負荷３への電力供給のオン・オフを行うものである。
【００２６】
電源２は、５０Ｈｚ又は６０Ｈｚの商用周波数を有して負荷３の消費電力に応じた大きさの交流電力を供給するものであり、負荷３は、例えば照明器具や換気扇等の電気機器である。
【００２７】
電力供給スイッチ１は、センサ４と接続されている。本実施形態では、センサ４は、例えば人間から発せられる赤外線を検知することで所定領域内の人間の存在を遠隔的に検知するセンサである。負荷３として例えば照明機器が電源２に接続されている場合、センサ４により人間の存在を検知すると、検知信号が後述の制御回路６に出力され、この制御回路６により負荷３への電力供給をオンし照明機器を自動的に点灯させるように構成されている。
【００２８】
電力供給スイッチ１は、ダイオードブリッジ回路５、電界効果トランジスタ（Field-Effect Transistor）Ｑ、ダイオードＤ５、スイッチ素子ＳＷ１、コンデンサＣ、制御回路６及びオフ時電源回路７を備えて構成されている。
【００２９】
ダイオードブリッジ回路５は、ダイオードＤ１のアノードとダイオードＤ２のアノードとが接続され、ダイオードＤ１のカソードとダイオードＤ３のアノードとが接続され、ダイオードＤ２のカソードとダイオードＤ４のアノードとが接続され、そして、ダイオードＤ３のカソードとダイオードＤ４のカソードとが接続されてなる。ダイオードＤ１とダイオードＤ２との接続点Ａは、ダイオードブリッジ回路５の負極側直流出力端子であり、ダイオードＤ３とダイオードＤ４との接続点Ｂは、ダイオードブリッジ回路５の正極側直流出力端子である。また、ダイオードＤ１とダイオードＤ３との接続点Ｘ及びダイオードＤ２とダイオードＤ４との接続点Ｙは、ダイオードブリッジ回路５の交流入力端子であり、電源２で生成された交流電力が端子Ｓ，Ｔを介して接続点Ｘ，Ｙから入力される。ダイオードブリッジ回路５は、特許請求の範囲における整流部の一例である。
【００３０】
ダイオードブリッジ回路５における接続点Ａ，Ｂ間には、電界効果トランジスタＱが接続されている。電界効果トランジスタＱのドレイン（Ｄ）端子は、ダイオードブリッジ回路５における正極側直流出力端子（接続点Ｂ）に、電界効果トランジスタＱのソース（Ｓ）端子は、ダイオードブリッジ回路５における負極側直流出力端子（接続点Ａ）にそれぞれ接続されている。なお、電界効果トランジスタＱは、特許請求の範囲における第１のスイッチ部の一例である。
【００３１】
また、ダイオードブリッジ回路５における接続点Ａ，Ｂ間において、ダイオードＤ５とスイッチ素子ＳＷ１とコンデンサＣとが接続されている。ダイオードＤ５のアノードは、ダイオードブリッジ回路５の正極側直流出力端子（接続点Ｂ）及び電界効果トランジスタＱのドレイン（Ｄ）端子に接続されており、スイッチ素子ＳＷ１の各端子は、ダイオードＤ５のカソードとコンデンサＣの一方の電極とにそれぞれ接続されており、コンデンサＣの他方の電極は、ダイオードブリッジ回路５の負極側直流出力端子（接続点Ａ）及び電界効果トランジスタＱのソース（Ｓ）端子に接続されている。
【００３２】
ダイオードＤ５は、コンデンサＣから電流が矢印Ｐの方向に逆流するのを防止するためのものである。スイッチ素子ＳＷ１は、制御回路６によりオンオフ制御されるものであり、負荷３のオン時にはオンされ、負荷３のオフ時にはオフされる。
【００３３】
コンデンサＣは、制御回路６へ電力を供給するためのものである。このコンデンサＣによる制御回路６への電力供給方法については後述する。コンデンサＣは、特許請求の範囲における電荷蓄積部の一例である。
【００３４】
電界効果トランジスタＱのゲート（Ｇ）端子は、制御回路６に接続されており、制御回路６によりゲート端子にオン信号に相当する電圧が供給されると電界効果トランジスタＱはオン（短絡）し、オフ信号に相当する電圧が供給されると電界効果トランジスタＱはオフ（開放）する。
【００３５】
電界効果トランジスタＱのオン時においては、ドレイン−ソース間電圧Ｖｄｓは略０となり、電源２により供給される電力の位相に応じて、ダイオードブリッジ回路５のダイオードＤ３，電界効果トランジスタＱ及びダイオードＤ２を電流が流れて負荷３に電力が供給される期間と、ダイオードブリッジ回路５のダイオードＤ４，電界効果トランジスタＱ及びダイオードＤ１を電流が流れて負荷３に電力が供給される期間とが、前記供給電力の周波数に応じた周期で交互に発生する。
【００３６】
一方、電界効果トランジスタＱのオフ時においては、ドレイン−ソース間電圧Ｖｄｓは所定の高電圧となる。このとき、後述の微弱電流が流れるものの、スイッチ素子ＳＷ１も実質的にオフされるため、負荷３への電力供給が遮断される。
【００３７】
さらに、ゲート端子に供給する電圧を、前記オン信号に相当する電圧とオフ信号に相当する電圧との間に設定することで、電界効果トランジスタＱを、ドレイン−ソース間電圧Ｖｄｓが前記所定の高電圧と０Ｖとの間の電圧となる状態に設定することができる。この状態は、特許請求の範囲における有電位差状態に相当する。本実施形態では、この有電位差状態を利用して制御回路６への電力を確保するべくコンデンサＣの充電を行うようにしているところに特徴を有している。これについては後述する。
【００３８】
センサ４は、制御回路６から電力の供給を受ける。センサ４及び制御回路６は、常時、人間の検出動作等を実行するために電力を必要とする。
【００３９】
オフ時電源回路７は、負荷３への電力供給のオフ時に制御回路６に電力を供給するためのものである、スイッチ素子ＳＷ１、ダイオードブリッジ回路５の接続点Ａ，Ｂ及び制御回路６に接続されている。オフ時電源回路７は、図略のコンデンサやスイッチ素子等を備えてなり、負荷３をオフする期間、電源２から電力の供給を受け、その電力をコンデンサＣを介して制御回路６に供給する。なお、オフ時電源回路７は、内部インピーダンスが高く設定されているため、負荷３への電力供給のオフ時において電源２から供給を受ける電流は微弱なものであり、誤動作（例えば消灯すべきであるのに点灯したり、グロー放電を利用した照明機器の場合にはそのグロー放電が起こってしまったりする等の動作）や寿命の短命化等の悪影響が負荷３に生じない又は抑制されるように設定されている。
【００４０】
制御回路６は、電界効果トランジスタＱのゲート端子、コンデンサＣの一方の電極（ダイオードＤ５のカソード側の電極）、スイッチＳＷ１、オフ時電源回路７及び前述のセンサ４に接続されており、センサ４からの検知信号に基づき人間の存在の有無を判断する処理や、電界効果トランジスタＱのゲート端子電圧を制御することにより電界効果トランジスタＱのドレイン−ソース間の電圧Ｖｄｓの制御を行う。
【００４１】
すなわち、制御回路６は、センサ４からの出力信号に基づき所定領域内の人間の存在を検知すると、電界効果トランジスタＱのゲート端子電圧を所定の電圧に設定することで、電界効果トランジスタＱのドレイン−ソース間電圧Ｖｄｓを略０に設定して電界効果トランジスタＱをオンにする。これにより負荷３に電力が供給され、負荷３が照明機器である場合にはその照明機器が点灯する。
【００４２】
一方、所定領域内の人間の存在を検知しないときには、ゲート端子電圧をピンチオフ電圧（ドレイン−ソース端子間に電流が流れないときの電圧）に設定することで、電界効果トランジスタＱのドレイン−ソース間電圧Ｖｄｓを前記所定の高電圧に設定して電界効果トランジスタＱをオフにする。これにより負荷３への電力供給が略遮断され、例えば照明機器が実質的に消灯する。
【００４３】
さらに、本実施形態では、負荷３をオンする期間における制御回路６への供給電力を確保するため、制御回路６は電界効果トランジスタＱを次のように動作させている。以下、この内容について説明する。制御回路６は、特許請求の範囲における制御部に相当する。
【００４４】
図２（ａ）は、電源２から供給される電力、図２（ｂ）は、負荷３をオンする期間において負荷３に流れる電流、図２（ｃ）は、電界効果トランジスタＱのゲート端子電圧Ｖｇ、図２（ｄ）は、ドレイン−ソース間電圧Ｖｄｓ、図２（ｅ）は、コンデンサＣの両極間の電圧Ｖｃをそれぞれ示すタイムチャートである。
【００４５】
負荷３をオンする期間、スイッチＳＷ１はオンされ、図２（ｃ），（ｄ）に示すように、制御回路６により、ドレイン−ソース間電圧Ｖｄｓを略０に設定（電界効果トランジスタＱをオンに設定）すべくゲート端子電圧が所定値Ｖｇ１に設定される。なお、図２（ｂ）に示すように、電源２から供給される電流の経路に遅相成分又は進相成分のインピーダンスは含まれていないから、負荷３に流れる電流は電源２と同位相で変化する。
【００４６】
ここで、ドレイン−ソース間電圧Ｖｄｓが略０で一定の状態では、電界効果トランジスタＱが略短絡状態であるからコンデンサＣは充電されず、制御回路６への供給電力を確保できなくなる。そこで、コンデンサＣが充電され、その結果制御回路６への電力供給が行われるように、制御回路６は、任意のタイミング（図２では、時刻ｔ１，ｔ３，ｔ５）でゲート端子電圧Ｖｇを電圧Ｖｇ１からＶｇ２に瞬間的に低下させる。
【００４７】
これにより、ゲート端子電圧Ｖｇが電圧Ｖｇ１より小さい期間（ｔ１〜ｔ２，ｔ３〜ｔ４，ｔ５〜ｔ６、特許請求の範囲の第１の期間に相当する）、ドレイン−ソース間電圧Ｖｄｓが電圧Ｖｄｓ１（＞０）に上昇するため、その電圧によりコンデンサＣに電流が流れ、該コンデンサＣの両極間の電圧Ｖｃが電圧Ｖｃ２から上昇する。なお、電界効果トランジスタＱのオフ時におけるドレイン−ソース間電圧Ｖｄｓが例えば１００Ｖであるものとすると、コンデンサＣの充電期間のドレイン−ソース間電圧Ｖｄｓ１は例えば約５Ｖである。また、コンデンサＣを充電する期間（ｔ１〜ｔ２，ｔ３〜ｔ４，ｔ５〜ｔ６）、ドレイン−ソース間電圧Ｖｄｓを電圧Ｖｄｓ１で一定に保つため、負荷３に流れる電流の増大に応じてゲート電圧Ｖｇを電圧Ｖｇ２から大きくしている。
【００４８】
そして、コンデンサＣの両極間の電圧Ｖｃが、制御回路６に安定して電力を供給することのできる電圧Ｖｃ１に達するタイミング（図２では、時刻ｔ２，ｔ４，ｔ６）でドレイン−ソース間電圧Ｖｄｓを略０に戻す。なお、このタイミングは、コンデンサＣの容量等に応じて決定するものである。
【００４９】
このように、図２（ｃ），（ｄ）に示すように、制御回路６による電力消費によってコンデンサＣの両極間の電圧Ｖｃが電圧Ｖｃ２まで低下したら、該電圧Ｖｃが定期的に電圧Ｖｃ１まで引き上げるような動作を行わせることにより、制御回路６に安定して電力供給を行うことができる。
【００５０】
以上のように、本実施形態の電力供給スイッチ１は、端子数が２個であるから、電源２と負荷３との直列回路にすでに取り付けられている例えば機械式スイッチを当該電力供給スイッチ１に交換する場合に、電力供給スイッチ１の取り付け位置まで敷設された電源側の端子と、当該電力供給スイッチ１の端子とを接続するだけで済み、３線式スイッチへの交換時のように電源２側において再配線等の作業等が不要であり、３線式スイッチを取り付ける場合に比して施工性が良い。
【００５１】
そして、負荷３をオンする期間は、ドレインーソース間電圧Ｖｄｓを制御することでコンデンサＣの両極間の電圧Ｖｃを上昇させるようにしたから、負荷３に電力を供給する期間においても制御回路６への供給電力を確保することのできる電力供給スイッチ１を実現することができる。
【００５２】
また、本実施形態の電力供給スイッチ１は、従来技術のようにカレントトランスを用いてスイッチを構成していないので、構造の大型化や発熱の問題を回避することができるとともに、消費電力が大きな制御回路６を電力供給スイッチ１に搭載することが可能となり、複雑な制御を行うことができる。
【００５３】
（第２の実施形態）
前記第１の実施形態においては、制御回路６に電力を供給するべくドレイン−ソース間電圧Ｖｄｓを上昇させる期間以外の期間（以下、非充電期間という  特許請求の範囲の第２の期間に相当）は、電源２により供給される電流が略全てダイオードＤ１〜Ｄ４及び電界効果トランジスタＱを流れる。このとき、電界効果トランジスタＱ及びダイオードＤ１〜Ｄ４では電力が消費されることとなり、これは負荷３の動作に関係の無い電力であるため電力ロスである。
【００５４】
そこで、本実施形態では、このような消費電力（電力ロス）を低減するべく、前記の非充電期間においては、電源２により供給される電流がダイオードＤ１〜Ｄ４及び電界効果トランジスタＱをほとんど流れないようして、電界効果トランジスタＱ及びダイオードＤ１〜Ｄ４での消費電力を低減するようにしているところに特徴を有している。
【００５５】
図３は、第２の実施形態の電力供給スイッチ１の構成を示す図、図４（ａ）は、電源２から供給される電力、図４（ｂ）は、負荷３をオンする期間において負荷３に流れる電流、図４（ｃ）は、電界効果トランジスタＱのゲート端子電圧Ｖｇ、図４（ｄ）は、ドレイン−ソース間電圧Ｖｄｓを示し、図４（ｅ）は、コンデンサＣの両極間の電圧Ｖｃ、図４（ｆ）は、本実施形態で新たに設けられた双方向性３端子サイリスタＴＲＣの動作をそれぞれ示すタイムチャートである。なお、第１の実施形態と同一の素子や部材については同一の番号を付しており、図４（ａ）〜（ｅ）は図２（ａ）〜（ｅ）と略同様である。
【００５６】
本実施形態の電力供給スイッチ１は、図３に示すように、第１の実施形態に係る電力供給スイッチ１（図１に示す構成）に加えて、双方向性３端子サイリスタＴＲＣが、電源２及び負荷３の直列回路に対してダイオードブリッジ回路５と並列に接続して備えられている。また、双方向性３端子サイリスタＴＲＣのオンオフ動作を制御するゲート駆動回路８が、電源２から電力供給を受けるべくスイッチ端子Ｓ，Ｔで電源２及び負荷３の直列回路に接続して備えられているとともに、制御回路６に接続されている。なお、双方向性３端子サイリスタＴＲＣ及びゲート駆動回路８は、特許請求の範囲における第２のスイッチ部の一例である。
【００５７】
そして、双方向性３端子サイリスタＴＲＣの内部抵抗は、電界効果トランジスタＱとダイオードＤ３，Ｄ２又はダイオードＤ４，Ｄ１との合成抵抗に比して小さいので、非充電期間、すなわち図４においては、例えば時刻ｔ８〜ｔ９，時刻ｔ１０〜ｔ１１の期間、制御回路６は、双方向性３端子サイリスタＴＲＣをオンすることで、電源２から供給される電流の略全てが双方向性３端子サイリスタＴＲＣを流れる。
【００５８】
このように、双方向性３端子サイリスタＴＲＣをダイオードブリッジ回路５と並列に接続し、非充電期間は双方向性３端子サイリスタＴＲＣをオンすることで電界効果トランジスタＱ及びダイオードＤ１〜Ｄ４に電流がほとんど流れないようしたので、電界効果トランジスタＱ及びダイオードＤ１〜Ｄ４での消費電力を低減することができ、その結果、電力供給スイッチ１の消費電力（電力ロス）を低減することができる。
【００５９】
なお、本実施形態では、双方向性３端子サイリスタＴＲＣを用いたが、これに限らず、例えば機械式スイッチを始めとする低損失のスイッチング素子であれば双方向性３端子サイリスタＴＲＣ以外のものでも採用可能である。
【００６０】
（第３の実施形態）
前記第１の実施形態においては、制御回路６に電力を供給するべくドレイン−ソース間電圧Ｖｄｓを上昇させるタイミングを任意のタイミングに設定したが、本実施形態では、当該電力供給スイッチ１における消費電力を低減するべく、特定のタイミングに設定しているところに特徴を有している。
【００６１】
図５は、第３の実施形態の電力供給スイッチ１の構成を示す図、図６（ａ）は、電源２から供給される電力、図６（ｂ）は、負荷３をオンする期間において負荷３に流れる電流、図６（ｃ）は、電界効果トランジスタＱのゲート端子電圧Ｖｇ、図６（ｄ）は、ドレイン−ソース間電圧Ｖｄｓ、図６（ｅ）は、コンデンサＣの両極間の電圧Ｖｃをそれぞれ示すタイムチャートである。
【００６２】
本実施形態では、図５に示すように、第１の実施形態に係る電力供給スイッチ１（図１に示す構成）に加えて、電界効果トランジスタＱのソース端子とダイオードブリッジ回路５における負極側直流出力端子（接続点Ａ）との間に、該電界効果トランジスタＱと直列に抵抗Ｒが接続されており、電界効果トランジスタＱと抵抗Ｒとの接続点Ｈにおける電圧を見て電界効果トランジスタＱに流れる電流（負荷３に流れる電流）を検出するべく、その接続点Ｈと制御回路６とが接続されている。なお、抵抗Ｒ及び制御回路６は、特許請求の範囲における電流検出部の一例である。
【００６３】
そして、図６に示すように、電界効果トランジスタＱに流れる電流、換言すれば負荷に流れる電流が略０になるタイミング（時刻ｔ１３，ｔ１５，ｔ１７）で、ゲート端子電圧Ｖｇを電圧Ｖｇ１からＶｇ２に瞬間的に低下させることでドレイン−ソース間電圧Ｖｄｓを上昇させる。これにより、コンデンサＣの両極間の電圧Ｖｃが電圧Ｖｃ２から上昇する。
【００６４】
ここで、電界効果トランジスタＱとしてｎチャンネル形ＭＯＳＦＥＴを採用した場合、コンデンサＣの充電のために上昇させるドレイン−ソース間電圧Ｖｄｓをできるだけ小さく抑えて電界効果トランジスタＱでの消費電力を電圧の点からも低減するため、ゲート電圧Ｖｇを可能な限り高く設定し、電界効果トランジスタＱが線形領域（オーム動作領域：ドレイン−ソース間電圧Ｖｄｓとドレイン−ソース間電流とが略比例する領域）で動作するようにするとよい。
【００６５】
そして、コンデンサＣの両極間の電圧Ｖｃが電圧Ｖｃ１に達するタイミング（図６では、時刻ｔ１４，ｔ１６，ｔ１８）で、ゲート端子電圧Ｖｇを電圧Ｖｇ２から電圧Ｖｇ１に上げることにより、ドレイン−ソース間電圧Ｖｄｓを略０に戻す。
【００６６】
電界効果トランジスタＱでの消費電力はドレイン−ソース間電流とドレイン−ソース間電圧Ｖｄｓとの積であることに基づくと、低下後のドレイン−ソース間電圧Ｖｄｓが同一の条件下では、ドレイン電流、すなわち負荷３に流れる電流が小さい方が電界効果トランジスタＱでの消費電力が小さい。したがって、前記のような制御を行うことにより、制御回路６に電力を供給するべくドレイン−ソース間電圧Ｖｄｓを上昇させるタイミングを、負荷に流れる電流が略０になるタイミング以外のタイミングに設定する場合に比して、電界効果トランジスタＱ、延いては電力供給スイッチ１の消費電力をさらに低減することができる。
【００６７】
（第４の実施形態）
前記第２の実施形態においては、非充電期間における電界効果トランジスタＱ及びダイオードＤ１〜Ｄ４での消費電力を略０にするため、その非充電期間、ダイオードブリッジ回路５と並列接続された双方向性３端子サイリスタＴＲＣをオンするようにしたが、双方向性３端子サイリスタＴＲＣをオンする際には、そのオン動作に起因してスイッチングノイズが発生する。このスイッチングノイズは、双方向性３端子サイリスタＴＲＣのオン時における該サイリスタＴＲＣの両端電圧ＶTRCが大きくなるに伴って増大し、スイッチングノイズが大きくなると、例えば負荷３としての照明機器の点灯状態にちらつきが発生するなどの問題が生じる。
【００６８】
そこで、本実施形態では、このスイッチングノイズを低減するべく、双方向性３端子サイリスタＴＲＣの端子間電圧ＶTRCを十分に低下させたのちに該サイリスタＴＲＣのオン動作を行うように構成しているところに特徴を有している。
【００６９】
図７は、第４の実施形態の電力供給スイッチ１の構成を示す図、図８（ａ）は、電源２から供給される電力、図８（ｂ）は、負荷３をオンする期間において負荷３に流れる電流、図８（ｃ）は、電界効果トランジスタＱのゲート端子電圧Ｖｇ、図８（ｄ）は、ドレイン−ソース間電圧Ｖｄｓ、図８（ｅ）は、コンデンサＣの両極間の電圧Ｖｃ、図８（ｆ）は、接続点Ｘ，Ｙ間の電圧（以下、Ｘ−Ｙ間電圧Ｖxyという）、図８（ｇ）は、双方向性３端子サイリスタＴＲＣの動作をそれぞれ示すタイムチャートである。
【００７０】
本実施形態では、図７に示すように、第２の実施形態に係る電力供給スイッチ１（図３に示す構成）に、さらに電界効果トランジスタＱのソース端子と接続点Ａとの間に、該電界効果トランジスタＱと直列に抵抗Ｒを接続し、電界効果トランジスタＱに流れる電流（負荷３に流れる電流）を検出することによりＸ−Ｙ間電圧Ｖxyを間接的に検出するべく、電界効果トランジスタＱと抵抗Ｒとの接続点Ｈが制御回路６に接続されている。
【００７１】
そして、図８（ｂ）〜（ｄ）に示すように、電界効果トランジスタＱに流れる電流、換言すれば負荷３に流れる電流が略０になるタイミング（時刻ｔ１９，ｔ２２，ｔ２５）で、ゲート端子電圧Ｖｇを電圧Ｖｇ１からＶｇ２に瞬間的に低下させることでドレイン−ソース間電圧Ｖｄｓを電圧Ｖｄｓ１に瞬間的に上昇させる。これにより、図８（ｅ）に示すように、コンデンサＣの両極間の電圧Ｖｃが電圧Ｖｃ２から上昇する。そして、コンデンサＣを充電する期間（ｔ１９〜ｔ２０，ｔ２２〜ｔ２３，ｔ２５〜ｔ２６）、ドレイン−ソース間電圧Ｖｄｓを電圧Ｖｄｓ１で一定に保つため、負荷３に流れる電流の増大に応じてゲート電圧Ｖｇを大きくしている。このとき、Ｘ−Ｙ間電圧Ｖxyは、ダイオードＤ３，Ｄ２又はダイオードＤ４，Ｄ１の電圧とドレイン−ソース間電圧Ｖｄｓとの和となる。
【００７２】
また、時刻ｔ２０，ｔ２３，ｔ２６で、コンデンサＣの両極間の電圧Ｖｃが制御回路６に電力を供給するのに必要な所定の電圧Ｖｃ１に達すると、制御回路６は、ドレイン−ソース間電圧Ｖｄｓが徐々に低下するようにゲート端子電圧Ｖｇを電圧Ｖｇ１に達するまで徐々に増大させ、Ｘ−Ｙ間電圧Ｖxyが所定の電圧Ｖxy１まで低下すると（時刻ｔ２１，ｔ２４，ｔ２７）、ゲート駆動回路８は、双方向性３端子サイリスタＴＲＣをオンする。なお、前記所定の電圧Ｖxy１は、特許請求の範囲の請求項３における所定値に対応する値に相当する。
【００７３】
このように、双方向性３端子サイリスタＴＲＣの端子間電圧ＶTRCを十分に低下させたのちに該サイリスタＴＲＣのオン動作を行うようにしたので、双方向性３端子サイリスタＴＲＣのオン動作に起因するスイッチングノイズを低減することができる。
【００７４】
（第５の実施形態）
電力供給スイッチ１は、消費電力が異なる各種の負荷３に電力を供給できるように、電界効果トランジスタＱに広範囲の電流値の電流を流しても該電界効果トランジスタＱが正常に動作することが要求される。
【００７５】
しかし、第４の実施形態のように、比較的大きな消費電力の負荷３に対応させるべく前述のスイッチングノイズの点を考慮し抵抗Ｒを抵抗値の小さいものにして電力供給スイッチ１を構成した場合に、この電力供給スイッチ１を消費電力の比較的小さな負荷３に接続して用いるとき、双方向性３端子サイリスタＴＲＣをオンする時点のドレイン−ソース間電圧Ｖｄｓは、電界効果トランジスタＱに流れる電流の大きさに略比例することから非常に小さくなる。その結果、双方向性３端子サイリスタＴＲＣをオンさせるためにゲート駆動回路８が必要とする電圧（双方向性３端子サイリスタＴＲＣのゲート端子にオン信号を出力するための電圧）が得られず、双方向性３端子サイリスタＴＲＣをオンすることができない場合が生じることが考えられる。
【００７６】
そこで、本実施形態では、双方向性３端子サイリスタＴＲＣを確実にオンさせることのできるドレイン−ソース間電圧Ｖｄｓについての下限値を設定し、ドレイン−ソース間電圧Ｖｄｓがこの下限値を下回らないように、最低限必要なドレイン−ソース間電圧Ｖｄｓを確保するようにしている。
【００７７】
図９は、第５の実施形態の電力供給スイッチ１の構成を示す図である。図９に示すように、第５の実施形態の電力供給スイッチ１は、前記第４の実施形態の構成に加えて、制御回路６内に下限リミット回路６１を備え、下限リミット回路６１は、電界効果トランジスタＱのゲート端子とコンデンサＣの一方の電極とに接続されており、コンデンサＣの両電極の電圧Ｖｃを監視することで、ドレイン−ソース間電圧Ｖｄｓ、延いては双方向性３端子サイリスタＴＲＣの端子間電圧ＶTRCを間接的に監視する。なお、下限リミット回路６１は特許請求の範囲における制限部に相当する。
【００７８】
そして、下限リミット回路６１は、コンデンサＣの両電極の電圧Ｖｃが前記下限値に相当する電圧値より小さいことを検出すると、コンデンサＣの両電極の電圧Ｖｃが前記下限値に相当する電圧値になるまでゲート端子電圧Ｖｇを小さくしてドレイン−ソース間電圧Ｖｄｓを上昇させる。
【００７９】
これにより、双方向性３端子サイリスタＴＲＣをオンさせるのに必要な最低限の該サイリスタＴＲＣの端子間電圧ＶTRCを確保することができ、双方向性３端子サイリスタＴＲＣを確実にオンさせることができる。
【００８０】
（第６の実施形態）
前記第５の実施形態で述べたように、電力供給スイッチ１は、消費電力が異なる各種の負荷３に電力を供給するため、電界効果トランジスタＱに広範囲の電流値の電流を流しても該電界効果トランジスタＱが正常に動作することが要求される。
【００８１】
しかし、第４の実施形態（図７に示す電力供給スイッチ１）において、双方向性３端子サイリスタＴＲＣをオンする時点のドレイン−ソース間電圧Ｖｄｓは、電界効果トランジスタＱに流れる電流の大きさに略比例し、電界効果トランジスタＱに流れる電流（ドレイン−ソース間電圧Ｖｄｓ）が非常に大きいときには、前述のスイッチングノイズが大きくなる一方、電界効果トランジスタＱに流れる電流（ドレイン−ソース間電圧Ｖｄｓ）が非常に小さいときには、ゲート駆動回路８が動作せず、双方向性３端子サイリスタＴＲＣをオンできない場合が生じることが考えられる。
【００８２】
そこで、本実施形態では、このような問題を回避すべく、双方向性３端子サイリスタＴＲＣの端子間電圧ＶTRCが一定の範囲内に設定されるようにしている。
【００８３】
図１０は、第６の実施形態の電力供給スイッチ１の構成を示す図である。図１０に示すように、第６の実施形態の電力供給スイッチ１は、前記第４の実施形態の構成における抵抗Ｒの代わりに、抵抗とトランジスタとが直列接続されてなる直列回路が複数並列接続され、この並列回路が、電界効果トランジスタＱのソース端子とダイオードブリッジ回路５の接続点Ａとの間に、電界効果トランジスタＱと直列に接続されている。これにより、通電可能な複数の電流路が形成されている。以下、これらの抵抗及びトランジスタを抵抗Ｒ１〜Ｒ４及びトランジスタＴｒ１〜Ｔｒ４と表わす。抵抗Ｒ１〜Ｒ４は、トランジスタＴｒ１〜Ｔｒ４のエミッタ端子に接続されているとともに、トランジスタＴｒ１〜Ｔｒ４の各コレクタ端子はダイオードブリッジ回路５の負極側直流出力端子（接続点Ａ）に接続されている。
【００８４】
また、制御回路６内に検出抵抗セレクター回路６２を備え、検出抵抗セレクター回路６２は、トランジスタＴｒ１〜Ｔｒ４の各ベース端子にそれぞれ接続されている。なお、検出抵抗セレクター回路６２、トランジスタを抵抗Ｒ１〜Ｒ４及びトランジスタＴｒ１〜Ｔｒ４は、特許請求の範囲における調整部の一例である。
【００８５】
そして、検出抵抗セレクター回路６２は、トランジスタＴｒ１〜Ｔｒ４のうち１又は複数のトランジスタをオンし電流を流す電流路を選択することで、選択した電流路のインピーダンスに相当する電圧が双方向性３端子サイリスタＴＲＣの端子間に印加される。
【００８６】
このような構成により、例えば当該電力供給スイッチ１を電源２及び負荷３に接続したときに通電させる電流路を適切に設定することで、ドレイン−ソース間電圧Ｖｄｓを適切な範囲内の電圧に設定することができる。例えば、抵抗Ｒ１〜Ｒ４について、それらの抵抗値ｒ１〜ｒ４の関係がｒ１＜ｒ２＜ｒ３＜ｒ４である場合において、トランジスタＴｒ１，Ｔｒ４のオン時に、ドレイン−ソース間電圧Ｖｄｓが大きいときには、例えばトランジスタＴｒ４をオフする一方、トランジスタＴｒ３又はトランジスタＴｒ２をオンすることでインピーダンスを小さくして、ドレイン−ソース間電圧Ｖｄｓを下げる。このようにして、ドレイン−ソース間電圧Ｖｄｓ、延いては双方向性３端子サイリスタＴＲＣの端子間電圧ＶTRCを適切な電圧の範囲内に収めることができる。
【００８７】
その結果、図７に示すように、１の抵抗しか備えていない電力供給スイッチ１において、該抵抗Ｒの抵抗値が比較的大きく且つ負荷３に流れる電流が非常に大きいときには、双方向性３端子サイリスタＴＲＣの両端子間電圧が非常に大きくなり、スイッチングノイズが発生する一方、その抵抗の抵抗値が比較的小さく且つ負荷３に流れる電流が非常に小さいときには、双方向性３端子サイリスタＴＲＣをオンできなくなる場合がある。しかし、本実施形態のように、抵抗値の異なる電流路を複数備え、負荷３の消費電力に応じて通電させる電流路を設定することで、そのような不具合が発生するのを防止又は抑制することができる。なお、最適な電流路の検出方法としては、例えば、最も抵抗値の小さい電流路から順に切換えるようにすればよい。
【００８８】
（第７の実施形態）
電界効果トランジスタＱにおける消費電力は、電力供給スイッチ１全体の消費電力の大きな割合を占めるものであり、電界効果トランジスタＱに流れる電流（ドレイン−ソース間電流）とドレイン−ソース間電圧Ｖｄｓとにより決定する。したがって、ドレイン−ソース間電圧Ｖｄｓは低い方が電界効果トランジスタＱにおける消費電力、延いては電力供給スイッチ１全体の消費電力を低減することができる。
【００８９】
しかし、制御回路６は、電界効果トランジスタＱのゲート端子電圧を制御するために比較的高い電圧が必要であり、そのような電圧でコンデンサＣから制御回路６に電力を供給するためには、ドレイン−ソース間電圧Ｖｄｓを比較的高い電圧に設定する必要があり、この場合、電界効果トランジスタＱにおける消費電力が大きくなる。
【００９０】
そこで、図１１に示すように、第７の実施形態の電力供給スイッチ１は、第４の実施形態に示す構成に加えて、コンデンサＣの両極間の電圧Ｖｃを昇圧する昇圧回路９を備え、昇圧回路９により昇圧して得られる電力を制御回路６に供給するようにしている。昇圧回路９は、例えば、インダクタ、スイッチング素子及びコンデンサ等を備えて構成される周知の昇圧チョッパ回路や同じく周知のチャージポンプ回路等が採用可能である。なお、昇圧回路９は、特許請求の範囲の昇圧部の一例である。
【００９１】
これにより、電界効果トランジスタＱにおける消費電力、延いては電力供給スイッチ１全体の消費電力を低減することができる。
【００９２】
（第８の実施形態）
第１の実施形態においては、ダイオードブリッジ回路５を用いて制御回路６への供給電力を確保することのできる電力供給スイッチ１を構成したが、図１２に示すように、ダイオードブリッジ回路５を用いることなく制御回路６への供給電力を確保することのできる電力供給スイッチ１を構成することもできる。
【００９３】
図１２は、第８の実施形態の電力供給スイッチ１の構成を示す図である。なお、第１の実施形態と同一の素子や部材については、同一の番号を付している。
【００９４】
図１２に示すように、本実施形態の電力供給スイッチ１も、電源２及び負荷３の直列回路と２個の端子Ｓ，Ｔで接続される２線式のスイッチであり、電界効果トランジスタＱ１，Ｑ２、ダイオードＤ６，Ｄ７、コンデンサＣ、スイッチＳＷ２，ＳＷ３、制御回路６及びオフ時電源回路７を備えて構成されている。
【００９５】
電界効果トランジスタＱ１，Ｑ２は互いにソース端子で直列に接続され、この直列回路が、スイッチ端子Ｓ，Ｔで電源２と負荷３との直列回路に接続されている。また、電界効果トランジスタＱ１，Ｑ２の接続点ＫとコンデンサＣの一方の電極とが接続されている。スイッチＳＷ２は、コンデンサＣの他方の電極とダイオードＤ６のカソードとに接続され、スイッチＳＷ３は、コンデンサＣの他方の電極とダイオードＤ７のカソードとに接続されている。また、ダイオードＤ６，Ｄ７の各アノードと電界効果トランジスタＱ１，Ｑ２の各ドレイン端子とが接続されている。なお、一般的に電界効果トランジスタは、ドレイン−ソース間電圧Ｖｄｓと逆極性の順方向電圧を有するダイオードを備えており、図１２では、他方の電界効果トランジスタのドレイン−ソース間を流れた電流は、当該電界効果トランジスタのダイオードを通ることを明瞭に示すべく、電界効果トランジスタＱ１，Ｑ２に含まれるダイオードを図示している。電界効果トランジスタＱ１，Ｑ２は、特許請求の範囲における第３、第４のスイッチング素子に相当する。
【００９６】
制御回路６は、電界効果トランジスタＱ１，Ｑ２の各ゲート端子とコンデンサＣの他方の電極とに接続されており、電界効果トランジスタＱ１，Ｑ２の動作を制御するとともに、スイッチＳＷ２，ＳＷ３のオンオフ制御を行い、負荷３のオン時にはスイッチＳＷ２，ＳＷ３をオンし、負荷３のオフ時にはスイッチＳＷ２，ＳＷ３をオフする。また、制御回路６は、コンデンサＣから電力供給を受ける。
【００９７】
オフ時電源回路７は、電界効果トランジスタＱ１，Ｑ２のドレイン端子及びソース端子に接続されており、第１の実施形態と同様に、図略のコンデンサやスイッチ素子等を備えてなる。オフ時電源回路７は、負荷３がオフの期間、電源２から電力の供給を受け、その電力をコンデンサＣを介して制御回路６に供給する。
【００９８】
以上の構成を有する電力供給スイッチ１において、負荷３をオンする期間において、制御回路６は、電界効果トランジスタＱ１，Ｑ２を交互にオンオフさせる。また、電界効果トランジスタＱ１，Ｑ２の各オン期間において、前記第１の実施形態と同様に、オンしている電界効果トランジスタのドレインーソース間電圧Ｖｄｓを一時的に大きくしてコンデンサＣの両極間の電圧Ｖｃを上昇させる。これにより、負荷３に電力を供給する期間においても制御回路６への供給電力を確保することのできる電力供給スイッチ１を実現することができる。
【００９９】
また、第１の実施形態に比して、ダイオードブリッジ回路５が備えていない分、消費電力を低減することができる。
【０１００】
なお、本発明は、前記第１〜第８の実施形態に加えて、あるいは第１〜第８の実施形態に代えて次の実施形態（１），（２）も採用可能である。
【０１０１】
（１）前記各実施形態では、ドレイン−ソース間電圧Ｖｄｓの制御の容易性の点から電界効果トランジスタＱを用いているが、これに限られず、例えば、ｐｎｐ型トランジスタ等の他のトランジスタも採用可能である。
【０１０２】
（２）第１の実施形態から第７の実施形態に示す技術を適宜組み合わせるとより好ましい電力供給スイッチ１を構成することができる。
【図面の簡単な説明】
【０１０３】
【図１】本発明に係る電力供給スイッチの第１の実施形態の構成を示す図である。
【図２】第１の実施形態において、負荷をオンする期間における各素子や回路の動作を示すタイムチャートである。
【図３】本発明に係る電力供給スイッチの第２の実施形態の構成を示す図である。
【図４】第２の実施形態において、負荷をオンする期間における各素子や回路の動作を示すタイムチャートである。
【図５】本発明に係る電力供給スイッチの第３の実施形態の構成を示す図である。
【図６】第３の実施形態において、負荷をオンする期間における各素子や回路の動作を示すタイムチャートである。
【図７】本発明に係る電力供給スイッチの第４の実施形態の構成を示す図である。
【図８】第４の実施形態において、負荷をオンする期間における各素子や回路の動作を示すタイムチャートである。
【図９】本発明に係る電力供給スイッチの第５の実施形態の構成を示す図である。
【図１０】本発明に係る電力供給スイッチの第６の実施形態の構成を示す図である。
【図１１】本発明に係る電力供給スイッチの第７の実施形態の構成を示す図である。
【図１２】本発明に係る電力供給スイッチの第８の実施形態の構成を示す図である。
【図１３】従来の電力供給スイッチの構成を示す図である。
【図１４】同じく従来の電力供給スイッチの構成を示す図である。
【符号の説明】
【０１０４】
１    電力供給スイッチ
２    電源
３    負荷
４    センサ
５    ダイオードブリッジ回路
６    制御回路
６１  下限リミット回路
６２  検出抵抗セレクター回路
７    オフ時電源回路
８    ゲート駆動回路
９    昇圧回路
Ｑ，Ｑ１，Ｑ２    電界効果トランジスタ
Ｃ    コンデンサ
ＴＲＣ  双方向性３端子サイリスタ
Ｒ，Ｒ１〜Ｒ４  抵抗
Ｔｒ１〜Ｔｒ４  トランジスタ
【図１】
2005244318.tif 000003
【図２】
2005244318.tif 000004
【図３】
2005244318.tif 000005
【図４】
2005244318.tif 000006
【図５】
2005244318.tif 000007
【図６】
2005244318.tif 000008
【図７】
2005244318.tif 000009
【図８】
2005244318.tif 000010
【図９】
2005244318.tif 000011
【図１０】
2005244318.tif 000012
【図１１】
2005244318.tif 000013
【図１２】
2005244318.tif 000014
【図１３】
2005244318.tif 000015
【図１４】
2005244318.tif 000016